(57)【要約】      （修正有）【課題】作成が容易であると共に、見た目が良い、ピアスなどの装身具を提供する。【解決手段】装身具６は、装飾本体７と、該装飾本体７の表面に設けた、硬化した樹脂層８と、該樹脂層８に固定されたピン９とよりなることを特徴とする。また、樹脂層８は、所望の厚さからなり、ピン９の基部が樹脂層８に埋め込まれて、ピン９に装飾本体７が固定されている。【選択図】図１
0003209099.tif 000002
【実用新案登録請求の範囲】
【請求項１】
装飾本体と、該装飾本体の表面に設けた、硬化した樹脂と、該樹脂に固定されたピンとよりなることを特徴とする装身具。
【請求項２】
上記樹脂は、所望の厚さからなる樹脂層からなり、上記ピンの基部が上記樹脂層に埋め込まれて、上記ピンに上記装飾本体が固定されていることを特徴とする請求項１に記載の装身具。
【請求項３】
上記樹脂層は、円錐形状、又は、半球形状、又は、多角錐形状、或いは、装飾状に形成されていることを特徴とする請求項２に記載の装身具。
【請求項４】
上記樹脂層は、透明又は半透明であることを特徴とする請求項２または３に記載の装身具。
【請求項５】
上記ピンの基端部には、台座が形成されていることを特徴とする請求項２乃至４のいずらか１に記載の装身具。
【請求項６】
上記装飾本体の表面と、上記ピンの基端部又は台座とが離間していることを特徴とする請求項２乃至５のいずれか１に記載の装身具。
【請求項７】
上記装飾本体は、複数であることを特徴とする請求項１乃至６のいずれか１に記載の装身具。
【請求項８】
上記装身具はピアスであることを特徴とする請求項１乃至７のいずれか１に記載の装身具。
【考案の詳細な説明】
【技術分野】
【０００１】
本考案は、装身具、特に、耳に付けるピアスやイヤリングなどの装身具に関するものである。
【背景技術】
【０００２】
図３は、従来のピアスなどの装身具１を示し、２は、例えば、パール（真珠）やダイヤモンドなどの装飾本体を示す。
【０００３】
３は、棒状（又は線状）のピン（ポスト）を示し、該ピン３は、基部において、上記装飾本体２に固定され、また、他端部において、耳に取り付けられる。
【０００４】
４は、上記ピン３の他端部に、着脱自在に装着されるキャッチなどの、耳からの抜け止め具である。
【０００５】
なお、上記装身具１がピアスの場合には、上記ピン３の外径は、耳たぶに形成された孔に挿通可能な径に形成され、また、ピン３の種類によっては、上記抜け止め具４は省略される。
【０００６】
また、上記装身具１がイヤリングの場合には、上記ピン３の他端部には、抜け止め具４の代わりに、耳へのピン固定具（図示せず）が設けられる。
【０００７】
上記従来の装身具１においては、パール２とピン３との固定は、例えば、図３に示すように、該パール２に孔２ａを開け、該孔２ａに、上記ピン２の基部を挿入し、そして、上記孔２ａ内に接着剤５を充填して固定させ、上記パール２とピン３とを固定していた。
【０００８】
また、他の固定方法としては、例えば、ピン３の基部に爪を設け、該爪によりダイヤモンドなどの装飾本体２を挟んで固定する方法や、ピン３と装飾本体２とをろう付けする方法がある。
【先行技術文献】
【特許文献】
【０００９】
【特許文献１】特開２０００−１４４１６号公報
【考案の概要】
【考案が解決しようとする課題】
【００１０】
しかしながら、パール２に孔２ａを開ける方法や、爪により装飾本体２を挟む方法は、加工に手間がかかる。
【００１１】
また、ろう付して固定する方法は、装飾本体２とピン３との材質等に制約がある。
【００１２】
本考案は、装身具の作成を容易とし、また、装飾本体とピンとの固定が確実に行え、また、見た目が良く、また、持ちやすい装身具を提供することを目的とする。
【課題を解決するための手段】
【００１３】
本考案の装身具は、装飾本体と、該装飾本体の表面に設けた、硬化した樹脂と、該樹脂に固定されたピンとよりなることを特徴とする。
【００１４】
また、上記樹脂層は、所望の厚さからなる樹脂層からなり、上記ピンの基部が上記樹脂層に埋め込まれて、上記ピンに上記装飾本体が固定されていることを特徴とする。
【００１５】
また、上記樹脂層は、円錐形状、又は、半球形状、又は、多角錐形状、或いは、装飾状に形成されていることを特徴とする。
【００１６】
また、上記樹脂層は、透明又は半透明であることを特徴とする。
【００１７】
また、上記ピンの基端部には、台座が形成されていることを特徴とする。
【００１８】
また、上記装飾本体の表面と、上記ピンの基端部又は台座とが離間していることを特徴とする。
【００１９】
上記装飾本体は、複数であることを特徴とする
【００２０】
上記装身具はピアスであることを特徴とする。
【考案の効果】
【００２１】
本考案のピアスのよれば、装身具の作成を容易とし、また、装飾本体とピンとの固定が確実に行え、また、見た目が良く、また、持ちやすい装身具を提供することができる。
【図面の簡単な説明】
【００２２】
【図１】本考案の装身具の説明図である。
【図２】本考案の他の装身具の説明図である。
【図３】従来の装身具の縦断説明図である。
【考案を実施するための形態】
【００２３】
以下図面によって本考案の実施例を説明する。
【実施例１】
【００２４】
図１は、本考案の装身具６を示し、該装身具６は、パールなどの装飾本体７の表面に、硬化性のアクリル樹脂等の硬化前の樹脂層８を、所望の厚さで付着して設けると共に、該樹脂層８内に、棒状（又は線状）のピン９の基部（先端部から所望の距離離れた所までの部分）を挿入し、そして、上記樹脂層８を硬化させて、上記ピン９の基部を上記樹脂層８に固定するようにする。これにより、該ピン９が上記装飾本体７に確実に固定されるようになる。
【００２５】
なお、前記樹脂層８の厚さは、特に制限はないが、例えば、０．５ｍｍ〜５ｍｍが好ましい。
【００２６】
また、装飾本体７の表面に付着する樹脂層８は、特に制限はないが、該装飾体７の背面全部に付着する場合から、該背面面積の１０％以上で付着するのが好ましく、特に５０％以上が好ましい。
【００２７】
また、前記埋め込まれるピン９の基部の長さは、特に制限はないが、例えば、先端部から０．５ｍｍ〜５ｍｍの範囲が好ましい。
【００２８】
なお、９ａは、上記ピン９の基端部（先端部）に固定された、例えば、円盤状の台座である。そして、該台座９ａの少なくとも一部が上記樹脂層８に挿入される。なお、固定を確実にするためにも、該台座９ａの全部が上記樹脂層８に埋め込まれて、固化されるのが好ましい。
【００２９】
上記台座９ａは、単なる円盤の円状以外に、矩形、多角形状、楕円等その他の形状であっても良く、また、色が施されたものであってもよい。また、上記台座９ａを省略してもよい。
【００３０】
また、上記所望の厚さに形成された樹脂層８の形状は、円錐形状（正円錐形状を含む）、又は、半球形状、又は、多角錐形状（正多角錐形状）、或いは、装飾状に形成する。これにより、該樹脂層８により、装飾本体７とピン９とが確実に固定されると共に、装身具全体の見た目が良くなるようになる。
【００３１】
なお、上記円錐形状、又は、半球形状、又は、多角錐形状の底面は、それぞれ上記装飾本体７側に形成される。
【００３２】
また、上記樹脂層８の形状を、円錐形状、又は、多角錐形状とした場合には、指で掴みやすくなり、パールなどの装飾本体７に触れずに、装身具６を耳に付けることができるようにもなる。
【００３３】
上記樹脂層８は、非透明でもよいが、半透明や透明であれば、装飾本体７に付着した樹脂層８の量や、装飾本体表面付着部分が多くても、該装飾本体７の全体の形状や色等の姿を見ることができ、装身具６の見た目が良くなる。また、装飾した台座９ａやピン９の姿も見ることができ、装身具６の見た目が良くなる。
【００３４】
上記樹脂層８は、アクリル樹脂以外に、硬化性のある樹脂であれば、特に、種類を問わない。また、樹脂には、熱硬化性や、光硬化性（アクリレート）等がある。
【００３５】
以上より、本考案によれば、装飾本体７の表面に硬化性の樹脂層８を設け、該樹脂層８の中にピン９の基部（及び台座）を埋め込むようにして、該ピン９を装飾本体７に固定するようにしたので、装飾本体７体とピン９とを確実に固定することができると。
【００３６】
また、上記樹脂層８の形状を所望の形状とすることにより、見た目を良くすることができると共に、その形状を、円錐形状、又は、多角錐形状とした場合には、装飾本体７を触れずに、耳に装身具６を取り付けることができるようにもなる。
【００３７】
また、装飾本体７と、ピン９の基部（又は台座９ａ）とを離間して固定することができるので、装飾本体７の表面形状に係らず、ピン９（又は台座９ａ）を固定できると共に、装飾本体７とピン９との固定位置などの自由度が上がるという利点がある。なお、装飾本体７とピンの基端部（又は台座９ａ）との接触させて、樹脂層８で固定するようにしてもよい。
【実施例２】
【００３８】
図２は、本考案の他の装身具１０の例を示す。
【００３９】
該装身具１０は、例えば、ダイヤモンドなどの装飾本体１１の表面と、ルビーなどの装飾本体１２の表面とに樹脂層１３を所望の厚さで付着させて、該樹脂層１３により、上記装飾本体１１と装飾本体１２とを固定すると共に、上記樹脂層１３にピン９の基部（及び台座９ａ）とを埋め込んで、ピン９に装飾本体１１、１２を固定させるようにする。
【００４０】
なお、３つ以上の装飾本体を組み合わせても良い。
【００４１】
この第２の実施例においては、樹脂層１３を介して、複数の装飾本体を組み合わせることができるようになる。
【００４２】
また、上記樹脂層１３により、装飾本体とピン９とを離間して固定することができるので、装飾本体の数や、形状に係らずピン９を固定することができるようになる。
【符号の説明】
【００４３】
１      装身具
２      装飾本体
２ａ    孔
３      ピン
４      抜け止め具
５      接着剤
６      装身具
７      装飾本体
８      樹脂層
９      ピン
９ａ    台座
１０    装身具
１１    装飾本体
１２    装飾本体
１３      樹脂層
【図１】
0003209099.tif 000003
【図２】
0003209099.tif 000004
【図３】
0003209099.tif 000005